(57)【要約】【課題】自由度の高い対象者情報の提供をする。【解決手段】本発明に係るユーザ情報提供装置は、対象者リストと、許可リストと、対象者リストの内容の変更が要求された場合に対象者リストの内容を変更する対象者リスト変更部と、許可リストの内容の変更が要求された場合に許可リストの内容を変更する許可リスト変更部と、要求者端末から対象者識別情報および要求情報を受信する要求情報受信部と、対象者識別情報に対応づけて要求者の要求者識別情報が許可リストに記録されているか否かを判断する照合判断部と、要求者識別情報が許可リストに記録されていると判断した場合に、対象者情報を取得する対象者情報取得部と、対象者情報を要求者端末に送信する対象者情報通知部とを備えるユーザ情報提供装置。【選択図】図６
2008152320.tif 000002
【特許請求の範囲】
【請求項１】
対象者端末を所有する対象者に関する情報である対象者情報を、対象者情報を要求する要求者が所有する要求者端末に送信するユーザ情報提供装置であって、
要求者の要求者識別情報に対応づけて、当該要求者識別情報で識別される要求者によって対象者情報の取得が所望される対象者の対象者識別情報を記録する対象者リストと、
対象者識別情報に対応づけて、当該対象者識別情報で識別される対象者の対象者情報の取得が許可される要求者の要求者識別情報を記録する許可リストと、
前記対象者リストの内容の変更が要求された場合に、前記許可リストにアクセスすることなく、前記許可リストの内容と独立させて、前記対象者リストの内容を変更する対象者リスト変更部と、
前記許可リストの内容の変更が要求された場合に、前記対象者リストにアクセスすることなく、前記対象者リストの内容と独立させて、前記許可リストの内容を変更する許可リスト変更部と、
前記対象者リストが記録している要求者識別情報で識別される要求者が所有する要求者端末から、当該要求者識別情報に対応づけて記録されている対象者識別情報、および対象者識別情報で識別される対象者の対象者情報の取得要求を示す要求情報を受信する要求情報受信部と、
前記要求情報受信部が受信した対象者識別情報に対応づけて、当該対象者識別情報を送信した要求者端末を所有する要求者の要求者識別情報が前記許可リストに記録されているか否かを判断する照合判断部と、
前記照合判断部が、要求者識別情報が前記許可リストに記録されていると判断した場合に、前記要求情報受信部が受信した対象者識別情報で識別される対象者の対象者情報を取得する対象者情報取得部と、
前記対象者情報取得部が取得した対象者情報を要求者端末に送信する対象者情報通知部と
を備えるユーザ情報提供装置。
【請求項２】
前記対象者情報は、対象者端末が存在する位置を示す対象者位置情報であり、
前記対象者情報取得部は、前記照合判断部が、要求者識別情報が前記許可リストに記録されていると判断した場合に、対象者の対象者位置情報を取得し、
前記対象者情報通知部は、前記対象者情報取得部が取得した対象者位置情報を要求者端末に送信する
請求項１に記載のユーザ情報提供装置。
【請求項３】
前記対象者情報取得部が取得した対象者位置情報が示す位置を含む、予め定められた範囲の地図を示す地図情報を取得する地図情報取得部と、
前記地図情報取得部が取得した地図情報が示す地図に、対象者位置情報が示す位置を含めた合成地図情報を生成する地図生成部と
を更に備え、
前記対象者情報通知部は、前記地図生成部が生成した合成地図情報を要求者端末に送信する
請求項２に記載のユーザ情報提供装置。
【請求項４】
前記対象者リスト変更部が、前記対象者リストに対象者識別情報を記録したことを示す登録通知を、当該対象者識別情報で識別される対象者の対象者端末に通知する登録通知部と、
前記登録通知部が通知した登録通知に応じて、当該対象者端末の対象者が、前記対象者リスト変更部が前記対象者リストに記録した対象者識別情報に対応する要求者識別情報で識別される要求者に、当該対象者の対象者位置情報の取得を許可することを示す許可情報を、対象者端末から受信する許可情報受信部と
を更に備え、
前記許可リスト変更部は、前記許可情報受信部が許可情報を受信した場合、前記許可リストの内容の変更が要求されたと判断し、前記対象者リストにアクセスすることなく、前記対象者リストの内容と独立させて、前記対象者リストに当該要求者端末の要求者の要求者識別情報を記録する
請求項２に記載のユーザ情報提供装置。
【請求項５】
前記登録通知部は、登録通知とともに、要求情報に対する予め定められた複数の応答方法を更に通知し、
前記許可情報受信部は、前記登録通知部が通知した複数の応答方法から対象者が選択した応答方法を、対象者端末から更に受信し、
前記許可リスト変更部は、前記許可情報受信部が許可情報を受信した場合、前記対象者リストにアクセスすることなく、前記対象者リストの内容と独立させて、前記許可リストに当該要求者端末の要求者の要求者識別情報に対応づけて前記許可情報受信部が受信した応答方法を更に記録し、
前記対象者情報取得部は、前記照合判断部が、要求者識別情報が前記許可リストに記録されていると判断した場合に、前記許可リストが要求者識別情報に対応づけて記録している応答方法に応じて、対象者の対象者位置情報を取得し、
前記対象者情報通知部は、前記対象者情報取得部が取得した対象者位置情報を要求者端末に送信する
請求項４に記載のユーザ情報提供装置。
【請求項６】
前記登録通知部は、前記対象者リスト変更部が前記対象者リストに対象者識別情報を記録したことを示す登録通知を、送信元を要求者端末として、当該対象者識別情報で識別される対象者端末に送信する
請求項４に記載のユーザ情報提供装置。
【請求項７】
前記登録通知部が、登録通知を対象者端末に通知する前に、要求者の要求者端末を識別する要求者端末識別情報を登録通知に含めて通知することを許可する認容情報、または要求者端末識別情報を登録通知に含めて通知することを拒否する拒否情報を、要求者端末から受信する通知許否受信部
を更に備え、
前記登録通知部は、前記通知許否受信部が認容情報を受け取った場合、前記対象者リスト変更部が、対象者識別情報を前記対象者リストの内容を変更して記録したことを示す登録通知に要求者端末識別情報を含めて、当該対象者識別情報で識別される対象者端末に通知し、前記通知許否受信部が拒否情報を受け取った場合、登録通知を当該対象者識別情報で識別される対象者端末に通知しない
請求項６に記載のユーザ情報提供装置。
【請求項８】
前記照合判断部が、前記要求情報受信部が受信した対象者識別情報に対応づけて、当該対象者識別情報を送信した要求者端末の要求者識別情報が前記許可リストに記録されていないと判断した場合に、判断した時点から予め定められた時間経過後、要求者端末に対象者の対象者位置情報の取得ができないことを通知する取得不可通知部
を更に備える請求項２に記載のユーザ情報提供装置。
【請求項９】
前記取得不可通知部は、
前記対象者情報取得部が対象者の対象者位置情報の取得ができない場合に、要求者端末に対象者の対象者位置情報の取得ができないことを示す取得不可情報を通知し、
前記要求情報受信部が受信した対象者識別情報に対応づけて、当該対象者識別情報を送信した要求者端末の要求者識別情報が前記許可リストに記録されていないと判断した場合に、対象者の対象者位置情報の取得ができないことを、取得不可情報と同一の態様で通知する
請求項８に記載のユーザ情報提供装置。
【請求項１０】
要求者識別情報に対応づけて対象者識別情報を記録するロックリストと、
前記対象者リスト変更部を制御して、前記ロックリストが記録している要求者識別情報で識別される要求者による前記対象者リストへの対象者識別情報の記録、および前記ロックリストが記録している要求者識別情報で識別される要求者による前記許可リストへの要求者識別情報の記録を可能とするとともに、前記許可リスト変更部を制御して、前記ロックリストが記録している対象者識別情報で識別される対象者による前記許可リストの内容の変更を禁止するアクセス制限部と
を更に備える請求項２に記載のユーザ情報提供装置。
【請求項１１】
対象者端末を所有する対象者に関する情報である対象者情報を、対象者情報を要求する要求者が所有する要求者端末に送信するユーザ情報提供方法であって、
要求者の要求者識別情報に対応づけて、当該要求者識別情報で識別される要求者によって対象者情報の取得が所望される対象者の対象者識別情報を記録する対象者リストの内容の変更が要求された場合に、対象者識別情報に対応づけて、当該対象者識別情報で識別される対象者の対象者情報の取得が許可される要求者の要求者識別情報を記録する許可リストにアクセスすることなく、前記許可リストの内容と独立させて、前記対象者リストの内容を変更する対象者リスト変更段階と、
前記許可リストの内容の変更が要求された場合に、前記対象者リストにアクセスすることなく、前記対象者リストの内容と独立させて、前記許可リストの内容を変更する許可リスト変更段階と、
前記対象者リストが記録している要求者識別情報で識別される要求者が所有する要求者端末から、当該要求者識別情報に対応づけて記録されている対象者識別情報、および対象者識別情報で識別される対象者の対象者情報の取得要求を示す要求情報を受信する要求情報受信段階と、
前記要求情報受信段階において受信された対象者識別情報に対応づけて、当該対象者識別情報を送信した要求者端末を所有する要求者の要求者識別情報が前記許可リストに記録されているか否かを判断する照合判断段階と、
前記照合判断段階において、要求者識別情報が前記許可リストに記録されていると判断された場合に、前記要求情報受信段階において受信された対象者識別情報で識別される対象者の対象者情報を取得する対象者情報取得段階と、
前記対象者情報取得段階において取得された対象者情報を要求者端末に送信する対象者情報通知段階と
を備えるユーザ情報提供方法。
【請求項１２】
対象者端末を所有する対象者に関する情報である対象者情報を、対象者情報を要求する要求者が所有する要求者端末に送信するユーザ情報提供装置用のユーザ情報提供プログラムであって、前記ユーザ情報提供装置を、
要求者の要求者識別情報に対応づけて、当該要求者識別情報で識別される要求者によって対象者情報の取得が所望される対象者の対象者識別情報を記録する対象者リスト、
対象者識別情報に対応づけて、当該対象者識別情報で識別される対象者の対象者情報の取得が許可される要求者の要求者識別情報を記録する許可リスト、
前記対象者リストの内容の変更が要求された場合に、前記許可リストにアクセスすることなく、前記許可リストの内容と独立させて、前記対象者リストの内容を変更する対象者リスト変更部、
前記許可リストの内容の変更が要求された場合に、前記対象者リストにアクセスすることなく、前記対象者リストの内容と独立させて、前記許可リストの内容を変更する許可リスト変更部、
前記対象者リストが記録している要求者識別情報で識別される要求者が所有する要求者端末から、当該要求者識別情報に対応づけて記録されている対象者識別情報、および対象者識別情報で識別される対象者の対象者情報の取得要求を示す要求情報を受信する要求情報受信部、
前記要求情報受信部が受信した対象者識別情報に対応づけて、当該対象者識別情報を送信した要求者端末を所有する要求者の要求者識別情報が前記許可リストに記録されているか否かを判断する照合判断部、
前記照合判断部が、要求者識別情報が前記許可リストに記録されていると判断した場合に、前記要求情報受信部が受信した対象者識別情報で識別される対象者の対象者情報を取得する対象者情報取得部、
前記対象者情報取得部が取得した対象者情報を要求者端末に送信する対象者情報通知部
として機能させるユーザ情報提供プログラム。
【請求項１３】
対象者が有する対象者端末と、対象者端末を所有する対象者に関する情報である対象者情報を要求する要求者が所有する要求者端末と、対象者情報を要求者端末に送信するユーザ情報提供装置とを備えるユーザ情報提供システムであって、
前記ユーザ情報提供装置は、
要求者の要求者識別情報に対応づけて、当該要求者識別情報で識別される要求者によって対象者情報の取得が所望される対象者の対象者識別情報を記録する対象者リストと、
対象者識別情報に対応づけて、当該対象者識別情報で識別される対象者の対象者情報の取得が許可される要求者の要求者識別情報を記録する許可リストと、
前記対象者リストの内容の変更が要求された場合に、前記許可リストにアクセスすることなく、前記許可リストの内容と独立させて、前記対象者リストの内容を変更する対象者リスト変更部と、
前記許可リストの内容の変更が要求された場合に、前記対象者リストにアクセスすることなく、前記対象者リストの内容と独立させて、前記許可リストの内容を変更する許可リスト変更部と、
前記対象者リストが記録している要求者識別情報で識別される要求者が所有する要求者端末から、当該要求者識別情報に対応づけて記録されている対象者識別情報、および対象者識別情報で識別される対象者の対象者情報の取得要求を示す要求情報を受信する要求情報受信部と、
前記要求情報受信部が受信した対象者識別情報に対応づけて、当該対象者識別情報を送信した要求者端末を所有する要求者の要求者識別情報が前記許可リストに記録されているか否かを判断する照合判断部と、
前記照合判断部が、要求者識別情報が前記許可リストに記録されていると判断した場合に、前記要求情報受信部が受信した対象者識別情報で識別される対象者の対象者情報を取得する対象者情報取得部と、
前記対象者情報取得部が取得した対象者情報を要求者端末に送信する対象者情報通知部と
を備えるユーザ情報提供システム。
【発明の詳細な説明】
【技術分野】
【０００１】
本発明は、ユーザ情報提供装置、ユーザ情報提供方法、ユーザ情報提供プログラム、およびユーザ情報提供システムに関する。特に、本発明は、対象者端末を所有する対象者に関する情報である対象者情報を、対象者情報を要求する要求者が所有する要求者端末に送信するユーザ情報提供装置、ユーザ情報提供方法、ユーザ情報提供プログラム、およびユーザ情報提供システムに関する。
【背景技術】
【０００２】
非特許文献１および非特許文献２には、対象者が有する携帯電話端末の位置を示す位置情報を、ＧＰＳを利用して取得して、対象者の位置の検索を要求した要求者の携帯電話端末等において、対象者の位置を示した地図を参照できるサービスについて記載されている
【非特許文献１】位置情報サービス、［平成１８年１１月２日検索］、インターネット＜http://www.nttdocomo.co.jp/service/imadoco/index.html＞
【非特許文献２】位置確認、［平成１８年１１月２日検索］、インターネット＜http://www.au.kddi.com/seihin/kinobetsu/seihin/a5520sa/index.html＞
【発明の開示】
【発明が解決しようとする課題】
【０００３】
しかしながら、非特許文献１および非特許文献２に係る方法においては、要求者が位置の検索を要求する相手である対象者を予めオフラインで登録しておくか、または、要求者が位置の検索を要求することに対して、対象者から必ず予め同意を得ておかなければならない。従って、非特許文献１および非特許文献２に係る方法においては、ユーザの様々な要望に応じた、柔軟なサービスの提供をすることが困難な場合がある。
【０００４】
そこで本発明は、上記課題を解決することができるユーザ情報提供装置、ユーザ情報提供方法、ユーザ情報提供プログラム、およびユーザ情報提供システムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、対象者端末を所有する対象者に関する情報である対象者情報を、対象者情報を要求する要求者が所有する要求者端末に送信するユーザ情報提供装置であって、要求者の要求者識別情報に対応づけて、当該要求者識別情報で識別される要求者によって対象者情報の取得が所望される対象者の対象者識別情報を記録する対象者リストと、対象者識別情報に対応づけて、当該対象者識別情報で識別される対象者の対象者情報の取得が許可される要求者の要求者識別情報を記録する許可リストと、対象者リストの内容の変更が要求された場合に、許可リストにアクセスすることなく、許可リストの内容と独立させて、対象者リストの内容を変更する対象者リスト変更部と、許可リストの内容の変更が要求された場合に、対象者リストにアクセスすることなく、対象者リストの内容と独立させて、許可リストの内容を変更する許可リスト変更部と、対象者リストが記録している要求者識別情報で識別される要求者が所有する要求者端末から、当該要求者識別情報に対応づけて記録されている対象者識別情報、および対象者識別情報で識別される対象者の対象者情報の取得要求を示す要求情報を受信する要求情報受信部と、要求情報受信部が受信した対象者識別情報に対応づけて、当該対象者識別情報を送信した要求者端末を所有する要求者の要求者識別情報が許可リストに記録されているか否かを判断する照合判断部と、照合判断部が、要求者識別情報が許可リストに記録されていると判断した場合に、要求情報受信部が受信した対象者識別情報で識別される対象者の対象者情報を取得する対象者情報取得部と、対象者情報取得部が取得した対象者情報を要求者端末に送信する対象者情報通知部とを備える。
【０００６】
また、本発明の第２の形態においては、対象者端末を所有する対象者に関する情報である対象者情報を、対象者情報を要求する要求者が所有する要求者端末に送信するユーザ情報提供方法であって、要求者の要求者識別情報に対応づけて、当該要求者識別情報で識別される要求者によって対象者情報の取得が所望される対象者の対象者識別情報を記録する対象者リストの内容の変更が要求された場合に、対象者識別情報に対応づけて、当該対象者識別情報で識別される対象者の対象者情報の取得が許可される要求者の要求者識別情報を記録する許可リストにアクセスすることなく、許可リストの内容と独立させて、対象者リストの内容を変更する対象者リスト変更段階と、許可リストの内容の変更が要求された場合に、対象者リストにアクセスすることなく、対象者リストの内容と独立させて、許可リストの内容を変更する許可リスト変更段階と、対象者リストが記録している要求者識別情報で識別される要求者が所有する要求者端末から、当該要求者識別情報に対応づけて記録されている対象者識別情報、および対象者識別情報で識別される対象者の対象者情報の取得要求を示す要求情報を受信する要求情報受信段階と、要求情報受信段階において受信された対象者識別情報に対応づけて、当該対象者識別情報を送信した要求者端末を所有する要求者の要求者識別情報が許可リストに記録されているか否かを判断する照合判断段階と、照合判断段階において、要求者識別情報が許可リストに記録されていると判断された場合に、要求情報受信段階において受信された対象者識別情報で識別される対象者の対象者情報を取得する対象者情報取得段階と、対象者情報取得段階において取得された対象者情報を要求者端末に送信する対象者情報通知段階とを備える。
【０００７】
また、本発明の第３の形態においては、対象者端末を所有する対象者に関する情報である対象者情報を、対象者情報を要求する要求者が所有する要求者端末に送信するユーザ情報提供装置用のユーザ情報提供プログラムであって、ユーザ情報提供装置を、要求者の要求者識別情報に対応づけて、当該要求者識別情報で識別される要求者によって対象者情報の取得が所望される対象者の対象者識別情報を記録する対象者リスト、対象者識別情報に対応づけて、当該対象者識別情報で識別される対象者の対象者情報の取得が許可される要求者の要求者識別情報を記録する許可リスト、対象者リストの内容の変更が要求された場合に、許可リストにアクセスすることなく、許可リストの内容と独立させて、対象者リストの内容を変更する対象者リスト変更部、許可リストの内容の変更が要求された場合に、対象者リストにアクセスすることなく、対象者リストの内容と独立させて、許可リストの内容を変更する許可リスト変更部、対象者リストが記録している要求者識別情報で識別される要求者が所有する要求者端末から、当該要求者識別情報に対応づけて記録されている対象者識別情報、および対象者識別情報で識別される対象者の対象者情報の取得要求を示す要求情報を受信する要求情報受信部、要求情報受信部が受信した対象者識別情報に対応づけて、当該対象者識別情報を送信した要求者端末を所有する要求者の要求者識別情報が許可リストに記録されているか否かを判断する照合判断部、照合判断部が、要求者識別情報が許可リストに記録されていると判断した場合に、要求情報受信部が受信した対象者識別情報で識別される対象者の対象者情報を取得する対象者情報取得部、対象者情報取得部が取得した対象者情報を要求者端末に送信する対象者情報通知部として機能させる。
【０００８】
また、本発明の第４の形態においては、対象者が有する対象者端末と、対象者端末を所有する対象者に関する情報である対象者情報を要求する要求者が所有する要求者端末と、対象者情報を要求者端末に送信するユーザ情報提供装置とを備えるユーザ情報提供システムであって、ユーザ情報提供装置は、要求者の要求者識別情報に対応づけて、当該要求者識別情報で識別される要求者によって対象者情報の取得が所望される対象者の対象者識別情報を記録する対象者リストと、対象者識別情報に対応づけて、当該対象者識別情報で識別される対象者の対象者情報の取得が許可される要求者の要求者識別情報を記録する許可リストと、対象者リストの内容の変更が要求された場合に、許可リストにアクセスすることなく、許可リストの内容と独立させて、対象者リストの内容を変更する対象者リスト変更部と、許可リストの内容の変更が要求された場合に、対象者リストにアクセスすることなく、対象者リストの内容と独立させて、許可リストの内容を変更する許可リスト変更部と、対象者リストが記録している要求者識別情報で識別される要求者が所有する要求者端末から、当該要求者識別情報に対応づけて記録されている対象者識別情報、および対象者識別情報で識別される対象者の対象者情報の取得要求を示す要求情報を受信する要求情報受信部と、要求情報受信部が受信した対象者識別情報に対応づけて、当該対象者識別情報を送信した要求者端末を所有する要求者の要求者識別情報が許可リストに記録されているか否かを判断する照合判断部と、照合判断部が、要求者識別情報が許可リストに記録されていると判断した場合に、要求情報受信部が受信した対象者識別情報で識別される対象者の対象者情報を取得する対象者情報取得部と、対象者情報取得部が取得した対象者情報を要求者端末に送信する対象者情報通知部とを備える。
【０００９】
なお、上記の発明の概要は、本発明の必要な特徴の全てを列挙したものではなく、これらの特徴群のサブコンビネーションもまた、発明となりうる。
【発明の効果】
【００１０】
本発明によれば、要求者端末からの指示により対象者を設定する一方で、対象者情報の取得ができる要求者を対象者の設定と非同期的に設定するので、対象者情報を要求者へ柔軟に提供することができる。
【発明を実施するための最良の形態】
【００１１】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１２】
図１から図５は、本発明の一実施形態に係るユーザ情報提供装置２０を介して、ユーザ情報の提供を要求する要求者が、対象者情報の提供を受けるフローの概要を示す。ユーザ情報提供装置２０は、対象者端末１４を所有する対象者に関する情報である対象者情報を、対象者情報を要求する要求者１が所有する要求者端末１２に送信する。ユーザ情報提供装置２０は、要求者１が所望する対象者情報を有する対象者を識別する対象者識別情報を記録する対象者リスト２００、および対象者情報の提供が許可されている要求者の要求者識別情報を記録する許可リスト２０４を備える。なお、要求者端末１２および対象者端末１４は、通信機能を有する通信端末であって、例えば、携帯電話端末である。
【００１３】
本実施形態に係るユーザ情報提供装置２０は、要求者端末１２からの指示により対象者を設定する一方で、対象者情報の取得ができる要求者を対象者の設定と非同期的に設定することにより、対象者情報を要求者へ柔軟に提供することを目的とする。
【００１４】
まず、図１を参照する。対象者情報の取得を要求する要求者１（例えば、Ａさん）は、対象者情報を要求者端末１２において取得すべく、ユーザ情報提供装置２０に対して、対象者情報の取得サービスの申し込みをする（Ｓ１）。これにより、要求者１は、要求者端末１２において対象者端末１４を有する対象者の対象者情報の検索をする権利を取得できる（Ｓ２）。ユーザ情報提供装置２０は、要求者１が当該権利を取得した場合に、まず、要求者１用の空の対象者リスト２００を作成する。そして、ユーザ情報提供装置２０は、要求者１の要求に応じて、要求者１が対象者情報の取得を所望する対象者を対象者リスト２００に登録する。
【００１５】
また、要求者１が、対象者情報の取得ができる要求者を登録する許可リスト２０４への対象者端末１４からのアクセスを制御するサービスに申し込んだ場合には、ユーザ情報提供装置２０は、要求者１の要求に応じて対象者の許可リスト２０４を生成する。そして、ユーザ情報提供装置２０は、要求者１の要求に応じて、許可リスト２０４に対象者情報の取得ができる要求者を登録する。なお、要求者１は、ユーザ情報提供装置２０へアクセス可能な端末が備えられているサービスショップへ来店して契約書で申し込みすること、サービスショップへ契約書を郵送すること、電話で申し込みすること、およびサービス提供者のウエブサイトから申し込みすること等によって、当該権利を取得できる。また、要求者１は、サービスショップ等のオペレータに指示することにより、対象者リスト２００に対象者を登録するとともに、許可リスト２０４に要求者を登録してもよい。
【００１６】
ここで、対象者情報は、対象者の個人情報であり、例えば、対象者端末１４が存在する位置を示す対象者位置情報である。また、対象者情報は、対象者端末１４が通信接続をした通信相手の通信端末を識別する端末識別情報（例えば、電話番号）の履歴、および／または対象者端末１４が送受信したメールの内容であってもよい。また、対象者端末１４がプリペイド方式の料金決済機能を有する場合には、対象者情報は金額の残高であり、対象者端末１４がポストペイ方式の料金決済機能を有する場合には、対象者情報は支払った金額の総計、および／または支払いごとの金額であってよい。更に、対象者情報は、対象者が学校に通っている場合、対象者の学校における出席状況、および成績等であってもよい。また、対象者情報は、対象者の銀行口座の預金残高であってもよい。
【００１７】
なお、要求者１は、要求者１が有する携帯電話端末（例えば、要求者端末１２）からユーザ情報提供装置２０に対して、対象者を識別する対象者識別情報を送信することにより、対象者リスト２００へ対象者識別情報を登録することを要求してもよい（Ｓ３）。例えば、要求者１は、要求者端末１２に対象者端末１４の電話番号を入力する。要求者端末１２は、要求者１が入力した対象者端末１４の電話番号をユーザ情報提供装置２０に送信する。そして、ユーザ情報提供装置２０は、要求者端末１２から受信した電話番号を要求者１用の対象者リスト２００に記録してもよい。係る場合において、要求者１は、対象者のニックネームを電話番号とともにユーザ情報提供装置２０に送信してよい。ユーザ情報提供装置２０は、対象者端末１４の電話番号に対応づけて、対象者のニックネーム（例えば、Ｂさん）を対象者リスト２００に記録する。
【００１８】
次に、ユーザ情報提供装置２０は、対象者リスト２００に対象者端末１４の電話番号が登録されたことを対象者端末１４に通知する（Ｓ４）。例えば、ユーザ情報提供装置２０は、メール（例えば、ショートメッセージサービス（ＳＭＳ））を用いて、対象者端末１４の電話番号が対象者リスト２００に登録されたことを対象者端末１４に通知する。ここで、要求者１が、対象者情報の取得ができる要求者を登録する許可リスト２０４への対象者端末１４からのアクセスを制御するサービスに申し込んでいない場合には、対象者は、当該メールを参照して、要求者１に対象者情報の提供を許可するか否かを設定する。
【００１９】
例えば、要求者１が対象者の対象者情報を参照してよいと対象者が判断した場合は、対象者端末１４からユーザ情報提供装置２０に対して、対象者情報の提供を許可することを示す情報を送信する（Ｓ５）。一方、要求者１が対象者情報を参照することを許可しないと対象者が判断した場合は、対象者端末１４は特に処理を実行しない。なお、対象者は、ユーザ情報提供装置２０から当該メールを受信したか否かにかかわらず、別途、許可リスト２０４へ要求者識別情報（例えば、要求者端末１２の電話番号）の登録をしてもよい。
【００２０】
ここで、要求者１が対象者の対象者情報を参照してよいと対象者が判断した場合において、対象者は、予め定められた複数の応答方法から選択した一の応答方法を更にユーザ情報提供装置２０に送信できる。複数の応答方法は、例えば、対象者に対象者情報の取得要求を通知した後、対象者情報の取得について同意／非同意を対象者に毎回求める応答方法、対象者に対象者情報の取得要求を通知した後、対象者に同意を求めずに対象者情報を送信する応答方法、および対象者に対象者情報の取得要求を通知せず、かつ対象者に同意を求めずに対象者情報を送信する応答方法等であってよい。
【００２１】
ユーザ情報提供装置２０は、対象者端末１４から受信した情報に応じて、許可リスト２０４に要求者１の要求者端末１２を識別する要求者識別情報（例えば、要求者端末１２の電話番号）を記録する。係る場合において、対象者は、要求者のニックネームを要求者端末１２の電話番号とともにユーザ情報提供装置２０に送信できる。ユーザ情報提供装置２０は、要求者端末１２の電話番号に対応づけて、対象者のニックネーム（例えば、Ａさん）を許可リスト２０４に記録する。
【００２２】
続いて、図２から図４において、対象者が設定した応答方法のそれぞれに応じて、要求者が対象者情報の提供を受けるフローの概要を示す。
【００２３】
図２は、対象者に対象者情報の取得要求を通知した後、対象者情報の取得について同意／非同意を対象者に毎回求める応答方法が設定されている場合のフローの概要を示す。以下の記述においては、対象者端末１４が存在する位置を示す対象者位置情報が対象者情報である例を説明する。まず、要求者端末１２は、対象者リスト２００から対象者（例えば、Ｂさん）を要求者１に選択させる。そして、要求者端末１２は、要求者１が選択した対象者の対象者位置情報の検索を欲する旨を示す検索要求を、ユーザ情報提供装置２０に送信する（Ｓ６）。ユーザ情報提供装置２０は、当該検索要求を受信した場合、当該検索要求を送信した要求者を識別する要求者情報が、対象者であるＢさんの許可リスト２０４に登録されているか否かを判断する（Ｓ７）。
【００２４】
ユーザ情報提供装置２０は、許可リスト２０４に要求者であるＡさんが登録されている場合は、許可リスト２０４に記録されている応答方法を更に判断する（Ｓ７）。そして、ユーザ情報提供装置２０は、許可リスト２０４に記録されている応答方法に応じて、対象者端末１４の対象者位置情報を要求者端末１２に送信する。すなわち、まず、ユーザ情報提供装置２０は、要求者１が対象者端末１４の対象者位置情報の取得を要求していることを示す検索要求を、外部の測位システム３０に通知する（Ｓ８）。そして、測位システム３０は、要求者１が対象者端末１４の対象者位置情報の取得を要求していることを示す検索要求を対象者端末１４に通知する（Ｓ９）。対象者端末１４は、検索要求を受信したことを対象者であるＢさんに通知する。そして、対象者は、要求者１の検索要求に応じるか否かを決定する（Ｓ１０）。
【００２５】
対象者が要求者１の検索要求に応じることを決定した場合には、対象者端末１４は、検索要求に応じることを示す情報を測位システム３０に送信する（Ｓ１１）。そして、測位システム３０は、対象者端末１４が存在する位置を示す対象者位置情報を取得して、ユーザ情報提供装置２０に送信する（Ｓ１２）。なお、ユーザ情報提供装置２０は、測位システム３０を介さずに、対象者端末１４に検索要求を通知してもよい。係る場合には、対象者端末１４は、検索要求を受信したことを対象者に通知する。そして、対象者が検索要求に応じることを決定した場合に、対象者端末１４は、測位システム３０を介さずに検索要求に応じることを示す情報をユーザ情報提供装置２０に送信する。そして、ユーザ情報提供装置２０は、測位システム３０に対象者端末１４の対象者位置情報の取得を要求して、測位システム３０に対象者位置情報を取得させてもよい。
【００２６】
ここで、外部の測位システム３０は、例えば、アシストＧＰＳ（ＡＧＰＳ）を利用した測位システム３０である。測位システム３０から対象者端末１４の位置情報を取得したユーザ情報提供装置２０は、当該位置情報が示す位置を含む予め定められた範囲の地図を示す地図データを取得する。続いて、ユーザ情報提供装置２０は、取得した地図データに測位システム３０から受信した位置情報が示す位置を含めた合成地図データを生成する。そして、ユーザ情報提供装置２０は、要求者端末１２が検索結果を要求した場合に（Ｓ１３）、要求者端末１２に生成した合成地図データを送信する（Ｓ１４）。これにより、要求者端末１２は、対象者端末１４が存在する位置、すなわち対象者であるＢさんが存在する位置を、地図において確認することができる。
【００２７】
一方、ユーザ情報提供装置２０は、許可リスト２０４に要求者であるＡさんが登録されていない場合は、要求者端末１２から検索結果要求を受信したときから予め定められた時間が経過した後、要求者端末１２に対象者位置情報の取得ができなかったことを示す情報を送信する（Ｓ１４）。また、対象者が要求者１の検索要求に応じないことを決定した場合にも、ユーザ情報提供装置２０は、要求者端末１２からの検索結果要求の受信に応じて、要求者端末１２に対象者位置情報の取得ができなかったことを示す情報を送信する（Ｓ１４）。
【００２８】
図３は、対象者に対象者情報の取得要求を通知した後、対象者に同意を求めずに対象者情報を送信する応答方法が設定されている場合のフローの概要を示す。以下の記述においては、対象者端末１４が存在する位置を示す対象者位置情報が対象者情報である例を説明する。Ｓ１６のステップは、図２の上記説明におけるＳ６のステップと略同一の動作をするので説明は省略する。ユーザ情報提供装置２０は、要求者端末１２から検索要求を受信した場合、当該検索要求を送信した要求者を識別する要求者情報が、対象者であるＢさんの許可リスト２０４に登録されているか否かを判断する（Ｓ１７）。ユーザ情報提供装置２０は、許可リスト２０４に要求者であるＡさんが登録されている場合は、許可リスト２０４に記録されている応答方法を更に判断する（Ｓ１７）。そして、ユーザ情報提供装置２０は、許可リスト２０４に記録されている応答方法に応じて、対象者端末１４の対象者位置情報を要求者端末１２に送信する。
【００２９】
すなわち、まず、ユーザ情報提供装置２０は、要求者１が対象者端末１４の対象者位置情報の取得を要求していることを示す検索要求を、外部の測位システム３０を介して対象者端末１４に通知する（Ｓ１８）。対象者端末１４は、検索要求を受信したことを対象者であるＢさんに通知する。ユーザ情報提供装置２０は、測位システム３０を介して対象者端末１４に検索要求を通知する一方で、測位システム３０に対象者端末１４の対象者位置情報を取得することを要求する（Ｓ１９）。測位システム３０は、対象者位置情報を取得する（Ｓ２０、Ｓ２１）。そして、測位システム３０は、取得した対象者位置情報をユーザ情報提供装置２０に送信する（Ｓ２２）。ユーザ情報提供装置２０は、測位システム３０から受信した位置情報に基づいて、上記図２の説明と同様にして、合成地図データを生成する。そして、ユーザ情報提供装置２０は、要求者端末１２が検索結果を要求した場合に（Ｓ２３）、要求者端末１２に、生成した合成地図データを送信する（Ｓ２４）。
【００３０】
なお、対象者端末１４が検索要求を測位システム３０を介してユーザ情報提供装置２０から受信した場合（Ｓ１８）、上記Ｓ１９およびＳ２０のステップを経由することなく、対象者端末１４はＳ２１のステップを実行してもよい。すなわち、対象者端末１４は、検索要求を、測位システム３０を介してユーザ情報提供装置２０から受信した場合に、測位システム３０に対象者位置情報を送信してもよい。
【００３１】
図４は、対象者に対象者情報の取得要求を通知せず、かつ対象者に同意を求めずに対象者情報を送信する応答方法が設定されている場合のフローの概要を示す。以下の記述においては、対象者端末１４が存在する位置を示す対象者位置情報が対象者情報である例を説明する。Ｓ２４のステップは、図２の上記説明におけるＳ６のステップと略同一の動作をするので説明は省略する。ユーザ情報提供装置２０は、要求者端末１２から検索要求を受信した場合、当該検索要求を送信した要求者を識別する要求者情報が、対象者であるＢさんの許可リスト２０４に登録されているか否かを判断する（Ｓ２５）。ユーザ情報提供装置２０は、許可リスト２０４に要求者であるＡさんが登録されている場合は、許可リスト２０４に記録されている応答方法を更に判断する（Ｓ２５）。そして、ユーザ情報提供装置２０は、許可リスト２０４に記録されている応答方法に応じて、対象者端末１４の対象者位置情報を取得する。
【００３２】
すなわち、ユーザ情報提供装置２０は、測位システム３０に対象者端末１４の対象者位置情報の取得を要求する（Ｓ２６）。測位システム３０は、ユーザ情報提供装置２０からの要求に応じて、対象者位置情報を取得する（Ｓ２７、Ｓ２８）。そして、測位システム３０は、取得した対象者位置情報をユーザ情報提供装置２０に送信する（Ｓ２９）。ユーザ情報提供装置２０は、測位システム３０から受信した位置情報に基づいて、上記図２の説明と同様にして、合成地図データを生成する。そして、ユーザ情報提供装置２０は、要求者端末１２から検索結果要求を受信した場合に（Ｓ３０）、要求者端末１２に、生成した合成地図データを送信する（Ｓ３１）。
【００３３】
図５は、対象者端末１４からの許可リスト２０４へのアクセスを制御するフローの概要を示す。まず、対象者情報の取得を要求する要求者１（例えば、Ａさん）は、管理を所望する対象者端末１４の許可リスト２０４の設定を管理すべく、ユーザ情報提供装置２０に対して対象者端末１４の許可リスト２０４を管理できるサービスの申し込みをする（Ｓ４０）。そして、ユーザ情報提供装置２０は、要求者１の申し込みに応じて、要求者１用の対象者リスト２００（Ａ）を生成する（Ｓ４０ａ）。また、ユーザ情報提供装置２０は、要求者１が指定した対象者（例えば、Ｂさん）の許可リスト２０４を生成する（Ｓ４０ｂ）。係る場合において、ユーザ情報提供装置２０は、許可リスト２０４に、対象者であるＢさんの対象者情報の取得を要求者に可能とすべく、要求者１の申し込みに応じて要求者の要求者識別情報と対象者情報の取得方法（例えば、設定ｃ）とを登録する。なお、要求者１は、要求者端末１２を通じて、図２の上記説明と同様に要求者１用の対象者リスト２００（Ａ）に対象者識別情報を登録してもよい。
【００３４】
これにより、要求者１は、対象者端末１４が許可リスト２０４の内容の変更を禁止する権利を取得できる（Ｓ４１）。すなわち、ユーザ情報提供装置２０は、要求者１のサービスの申し込みに応じて、要求者１が管理を所望する対象者を識別する対象者識別情報（例えば、対象者が有する対象者端末１４の電話番号）を、ロックリスト２８２に登録する。なお、要求者１は、ロックリスト２８２に複数の対象者識別情報を登録してもよい。ユーザ情報提供装置２０は、ロックリスト２８２に登録された対象者識別情報で識別される対象者が有する対象者端末１４が、当該対象者の許可リスト２０４の内容を変更することを禁止する。更に、要求者１の要求に応じて対象者であるＢさん用のロックリスト２８２を生成した場合、ユーザ情報提供装置２０は、要求者１を除く他の要求者（例えば、要求者２等）が、更に対象者であるＢさん用のロックリスト２８２を生成することを禁止する。すなわち、一の対象者用のロックリスト２８２には、一の要求者の要求者識別情報が登録される。
【００３５】
そして、要求者１は、要求者端末１２を用いて、許可リスト２０４に対象者端末１４を使用する対象者の対象者情報の取得ができる権限を有する者を登録する（Ｓ４２）。例えば、要求者１は、要求者端末１２を用いて許可リスト２０４に要求者１の要求者識別情報を登録する。また、要求者１は、許可リスト２０４に、対象者情報の取得をさせてもよい他の要求者、例えば要求者２であるＣさんの要求者識別情報を登録することもできる。なお、係る場合において、要求者１は、図２から図４において説明した応答方法を許可リスト２０４に登録することもできる。一方、対象者端末１４からは、許可リスト２０４の内容を参照することだけができる（Ｓ４３）。
【００３６】
一方、対象者情報の取得を要求する要求者２（Ｃさん）は、管理を所望する対象者端末１４の許可リスト２０４の設定を管理すべく、ユーザ情報提供装置２０に対して対象者端末１４の許可リスト２０４を管理できるサービスの申し込みをする（Ｓ４４）。しかしながら、本実施形態においては、ユーザ情報提供装置２０は、既に要求者１の要求に応じて許可リスト２０４を生成している。従って、ユーザ情報提供装置２０は、要求者２の要求に応じては、許可リスト２０４を生成しない（Ｓ４４ｂ）。但し、ユーザ情報提供装置２０は、要求者２用の対象者リスト２００（Ｃ）は生成する（Ｓ４４ａ）。
【００３７】
そして、ユーザ情報提供装置２０は、要求者１の要求に応じてユーザ情報提供装置２０が生成した許可リスト２０４の内容を、要求者端末１６が変更することを禁止する。但し、要求者１の要求者端末１２からの要求により、許可リスト２０４に要求者２の要求者識別情報と対象者情報の取得方法とが登録されている場合には、ユーザ情報提供装置２０は、当該取得方法に応じて、要求者端末１６に対象者情報を提供する。これにより、要求者２は、許可リスト２０４の設定内容を変更することができないものの、要求者端末１６において対象者情報を参照することができる。なお、対象者端末１４は、許可リスト２０４を参照することにより、要求者１が許可リスト２０４の設定を変更できる権限を有すること、および要求者２が当該権限を有してはいないが、対象者情報の参照ができることを把握できる。
【００３８】
例えば、対象者端末１４は、対象者の操作に応じて許可リスト２０４の内容を対象者端末１４の表示部に表示する。具体的には、対象者端末１４は、要求者１であるＡさんを示すテキストデータとともに、要求者１が許可リスト２０４の設定を変更する権限を有することを示す画像データを表示する。一方、対象者端末１４は、要求者２であるＢさんを示すテキストデータを表示するものの、要求者２は許可リスト２０４の設定を変更する権限を有していないので、当該権限を有することを示す画像データを、Ｂさんを示すテキストデータとともに表示しない。なお、本実施形態においては、当該権限を有することが許可されるものは一人に限られるので、当該権限を有することを示す画像データが複数表示されることはない。
【００３９】
なお、要求者２が対象者の許可リスト２０４の設定内容を変更する権限を取得したい場合には、要求者１とともにサービスの変更申し込みをする（Ｓ４０）。そして、ユーザ情報提供装置２０は、要求者１の要求に応じて生成されたロックリスト２８２を消去して、要求者２のロックリスト２８２を新たに生成する。そして、ユーザ情報提供装置２０は、対象者の許可リスト２０４の設定内容を変更する権限を、要求者１から要求者２へと移転する。
【００４０】
これにより、要求者１は、対象者の対象者情報の取得を許可する者を自由に設定することができる一方で、対象者端末１４からは自己の許可リスト２０４の内容の変更をすることを禁止できる。従って、例えば、要求者１が対象者の親である場合、対象者端末１４において許可リスト２０４の内容を変更して、対象者情報の要求者端末１２における参照を阻むことを防止できる。なお、対象者端末１４は、自己の許可リスト２０４の内容を変更することはできないが、他の対象者端末１４の許可リスト２０４の内容を変更することを禁止する権限を取得することはできる。
【００４１】
また、要求者１と異なる要求者２は、要求者１の要求に応じてユーザ情報提供装置２０が生成した許可リスト２０４の設定内容を変更できないものの、要求者１の要求に応じてユーザ情報提供装置２０が許可リスト２０４に要求者２の要求者識別情報を登録した場合に限り、対象者情報の参照をすることができる。すなわち、要求者１は、対象者情報の参照を許可できる者を自らの意思で設定できるので、対象者情報が不特定多数の者に参照されることを防止できる。
【００４２】
図６は、本実施形態に係るユーザ情報提供装置２０の機能構成の一例を示す。ユーザ情報提供装置２０は、対象者リスト２００、対象者リスト変更部２０２、許可リスト２０４、許可リスト変更部２０６、照合判断部２１０、登録要求受信部２２０、通知許否送受信部２２２、登録通知部２２４、要求情報受信部２２６、取得不可通知部２２８、対象者情報取得部２３０、地図情報取得部２３２、地図生成部２３４、対象者情報通知部２４０、許可情報受信部２５０、対象者リスト要求受信部２６０、対象者リスト送信部２６２、データ送受信部２７０、アクセス制限部２８０、ロックリスト２８２、および申込者リスト２９０を備える。なお、以下に述べる対象者情報は、対象者端末１４が存在する位置を示す対象者位置情報であってよい。また、対象者端末１４が要求者端末１２であってもよく、要求者端末１２が対象者端末１４であってもよい。
【００４３】
データ送受信部２７０は、要求者端末１２、対象者端末１４、および測位システム３０と、登録要求受信部２２０、通知許否送受信部２２２、登録通知部２２４、要求情報受信部２２６、取得不可通知部２２８、対象者情報取得部２３０、地図情報取得部２３２、対象者情報通知部２４０、許可情報受信部２５０、対象者リスト要求受信部２６０、および対象者リスト送信部２６２との間で、各種情報の送受信を行う。
【００４４】
対象者リスト２００は、要求者の要求者識別情報に対応づけて、当該要求者識別情報で識別される要求者によって対象識別情報の取得が所望される対象者の対象者識別情報を記録する。ユーザ情報提供装置２０は、要求者１がサービスの申し込みをしたことに応じて、当該要求者１用の対象者リスト２００を当該要求者１に割り当てる。対象者リスト２００は、照合判断部２１０の制御に応じて、記録している対象者識別情報を照合判断部２１０に供給する。また、対象者リスト２００は、対象者リスト送信部２６２の制御に応じて、記録している対象者識別情報を対象者リスト送信部２６２に供給する。
【００４５】
申込者リスト２９０は、ユーザ情報提供装置２０が実施しているサービスの提供を受ける申込者の要求者識別情報を記録する。ユーザ情報提供装置２０は、要求者１がサービスの申し込みをしたことに応じて、申込者リスト２９０に、要求者識別情報を記録する。また、申込者リスト２９０は、要求者識別情報に対応づけて、当該要求者識別情報で識別される要求者１が検索できるサービスを示す情報を更に記録してもよい。例えば、ユーザ情報提供装置２０は、複数の対象者情報（例えば、対象者位置情報、対象者端末１４の通信履歴、対象者の預金残高、および対象者の成績等）を要求者端末１２に提供するサービスを実施してよく、申込者リスト２９０は、要求者１が検索／参照を所望する少なくとも１つの対象者情報の提供サービスを示す情報を記録する。
【００４６】
許可リスト２０４は、対象者識別情報に対応づけて、当該対象者識別情報で識別される対象者の対象者情報の取得が許可される要求者の要求者識別情報を記録する。対象者の対象者端末１４は、初期状態において、ユーザ情報提供装置２０が実施しているサービスの提供が抑止されている。そこで、対象者端末１４が当該サービスの提供の抑止設定を解除したことに応じて、ユーザ情報提供装置２０は、当該対象者用の許可リスト２０４を当該対象者に割り当てる。許可リスト２０４は、照合判断部２１０の制御に応じて、記録している要求者識別情報を照合判断部２１０に供給する。
【００４７】
登録要求受信部２２０は、要求者端末１２から、対象者リスト２００に記録する対象者識別情報を受信する。すわなち、登録要求受信部２２０は、要求者端末１２から、要求者１が対象者情報の取得を所望する相手である対象者の対象者識別情報を受信する。登録要求受信部２２０は、受信した対象者識別情報を対象者リスト変更部２０２に供給する。
【００４８】
対象者リスト変更部２０２は、対象者リスト２００の内容の変更が要求された場合に、許可リスト２０４にアクセスすることなく、許可リスト２０４の内容と独立させて、対象者リスト２００の内容を変更する。具体的には、対象者リスト変更部２０２は、登録要求受信部２２０から受け取った対象者識別情報を、当該対象者識別情報を送信した要求者端末１２を使用する要求者の要求者識別情報に対応づけて、対象者リスト２００に記録する。対象者リスト変更部２０２は、対象者リスト２００に対象者識別情報を記録したことを示す情報を通知許否送受信部２２２に供給する。また、対象者リスト変更部２０２は、対象者リスト２００に記録した対象者識別情報を登録通知部２２４に供給する。
【００４９】
登録通知部２２４は、対象者リスト変更部２０２が、対象者リスト２００に対象者識別情報を記録したことを示す登録通知を、当該対象者識別情報で識別される対象者の対象者端末１４に通知する。すなわち、登録通知部２２４は、対象者リスト変更部２０２から受け取った対象者識別情報で識別される対象者の対象者端末１４に登録通知を通知する。また、登録通知部２２４は、登録通知とともに、要求情報に対する予め定められた複数の応答方法を更に通知する。ここで、登録通知部２２４は、対象者リスト変更部２０２が対象者リスト２００に対象者識別情報を記録したことを示す登録通知を、送信元を要求者端末１２として、当該対象者識別情報で識別される対象者端末１４に送信する。
【００５０】
例えば、登録通知部２２４は、登録通知をメールとして対象者端末１４に送信する場合、当該メールの「Ｆｒｏｍ」欄に、要求者の要求者端末１２の電話番号、または要求者のニックネーム等、要求者を識別するテキストデータを表示させることにより、送信元を要求者端末１２とする。これにより、対象者端末１４を使用する対象者は、対象者リスト２００に対象者識別情報を登録した要求者１が誰であるのかを、容易に認識できる。
【００５１】
通知許否送受信部２２２は、通知許否送信部および通知許否受信部を含む。通知許否送信部は、対象者リスト変更部２０２から対象者リスト２００に対象者識別情報を記録したことを示す情報を受け取った場合であって、登録通知部２２４が、登録通知を対象者端末１４に通知する前に、要求者１の要求者端末１２を識別する要求者端末識別情報を登録通知に含めて通知することを許可するか、または要求者端末識別情報を登録通知に含めて通知することを拒否するかを、要求者端末１２に決定させるべく要求者端末１２に問い合わせる。
【００５２】
通知許否受信部は、登録通知部２２４が、登録通知を対象者端末１４に通知する前に、要求者端末１２が通知許否送信部の問い合わせに応じて送信した、要求者１の要求者端末１２を識別する要求者端末識別情報を登録通知に含めて通知することを許可する認容情報、または要求者端末識別情報を登録通知に含めて通知することを拒否する拒否情報を、要求者端末１２から受信する。通知許否送受信部２２２は、要求者端末１２から受信した認容情報または許否情報を登録通知部２２４に供給する。登録通知部２２４は、通知許否受信部が認容情報を受け取った場合、対象者リスト変更部２０２が、対象者識別情報を対象者リスト２００の内容を変更して記録したことを示す登録通知に要求者端末識別情報を含めて、当該対象者識別情報で識別される対象者端末１４に通知する。一方、登録通知部２２４は、通知許否受信部が拒否情報を受け取った場合には、登録通知を当該対象者識別情報で識別される対象者端末１４に通知しない。
【００５３】
許可情報受信部２５０は、登録通知部２２４が通知した登録通知に応じて、対象者端末１４の対象者が、対象者リスト変更部２０２が対象者リスト２００に記録した対象者識別情報に対応する要求者識別情報で識別される要求者に、当該対象者の対象者位置情報の取得を許可した場合に、許可することを示す許可情報を対象者端末１４から受信する。また、許可情報受信部２５０は、登録通知部２２４が通知した複数の応答方法から対象者が選択した応答方法を、対象者端末１４から更に受信する。許可情報受信部２５０は、受信した許可情報を当該許可情報を許可リスト変更部２０６に供給する。
【００５４】
許可リスト変更部２０６は、許可リスト２０４の内容の変更が要求された場合に、対象者リスト２００にアクセスすることなく、対象者リスト２００の内容と独立させて、許可リスト２０４の内容を変更する。また、許可リスト変更部２０６は、許可情報受信部２５０が許可情報を受信した場合、許可リスト２０４の内容の変更が要求されたと判断する。そして、許可リスト変更部２０６は、対象者リスト２００にアクセスすることなく、対象者リスト２００の内容と独立させて、対象者リスト２００に当該要求者端末１２の要求者の要求者識別情報を記録する。更に、許可リスト変更部２０６は、許可情報受信部２５０が許可情報を受信した場合、対象者リスト２００にアクセスすることなく、対象者リスト２００の内容と独立させて、許可リスト２０４に当該要求者端末１２の要求者の要求者識別情報に対応づけて許可情報受信部２５０が受信した応答方法を更に記録する。
【００５５】
なお、許可リスト変更部２０６は、要求者識別情報を記録する場合に、申込者リスト２９０を参照する。そして、許可リスト変更部２０６は、申込者リスト２９０に記録されていない要求者識別情報については、許可情報受信部２５０が許可情報を受信した場合であっても、許可リスト２０４に記録しない。これにより、ユーザ情報提供装置２０が提供するサービスに申し込んでいない者に対して、対象者情報が送信されることを防止できる。
【００５６】
対象者リスト要求受信部２６０は、要求者端末１２から、当該要求者端末１２を使用する要求者の要求者識別情報に対応づけて対象者リスト２００が記録している対象者識別情報の参照要求を受信する。対象者リスト要求受信部２６０は、受信した参照要求を対象者リスト送信部２６２に供給する。対象者リスト送信部２６２は、対象者リスト２００が記録している対象者識別情報を要求者端末１２に送信する。具体的には、対象者リスト送信部２６２は、対象者リスト要求受信部２６０から受け取った参照要求を送信した要求者端末１２を使用する要求者の要求者識別情報に対応づけて対象者リスト２００が記録している対象者識別情報を取得する。そして、対象者リスト送信部２６２は、対象者リスト２００から取得した少なくとも１つの対象者識別情報を要求者端末１２に送信する。
【００５７】
要求情報受信部２２６は、対象者リスト２００が記録している要求者識別情報で識別される要求者が所有する要求者端末１２から、当該要求者識別情報に対応づけて記録されている対象者識別情報、および対象者識別情報で識別される対象者の対象者情報の取得要求を示す要求情報を受信する。具体的には、要求者端末１２は、対象者リスト送信部２６２が送信した少なくとも１つの対象者識別情報から要求者１が選択した対象者識別情報および要求情報をユーザ情報提供装置２０に送信する。
【００５８】
なお、要求者端末１２は、対象者リスト送信部２６２から受信した少なくとも１つの対象者識別情報で識別される対象者をリスト表示する。続いて、要求者端末１２は、要求者１に所望の対象者を選択させる。そして、要求者端末１２は、要求者１が選択した対象者の対象者識別情報をユーザ情報提供装置２０に送信する。要求情報受信部２２６は、当該対象者識別情報および要求情報を受信する。要求情報受信部２２６は、対象者識別情報、および対象者識別情報を送信した要求者端末１２の要求者１の要求者識別情報を照合判断部２１０に供給する。
【００５９】
照合判断部２１０は、要求情報受信部２２６が受信した対象者識別情報に対応づけて、当該対象者識別情報を送信した要求者端末１２を所有する要求者１の要求者識別情報が許可リスト２０４に記録されているか否かを判断する。すなわち、照合判断部２１０は、要求情報受信部２２６から受け取った対象者識別情報を送信した要求者端末１２の要求者１の要求者識別情報と、要求情報受信部２２６から受け取った対象者情報に対応づけて許可リスト２０４が記録している要求者識別情報とを照合することにより、当該要求者１に対象者情報の参照が許可されているか否かを判断する。また、照合判断部２１０は、当該要求者１の要求者識別情報が許可リスト２０４に記録されている場合には、対象者識別情報に対応づけて許可リスト２０４が記録している応答方法を取得する。照合判断部２１０は、判断結果を、取得不可通知部２２８および対象者情報取得部２３０に供給する。また、照合判断部２１０は、許可リスト２０４から取得した応答方法を、対象者情報取得部２３０に供給する。
【００６０】
対象者情報取得部２３０は、照合判断部２１０が、要求者識別情報が許可リスト２０４に記録されていると判断した場合に、要求情報受信部２２６が受信した対象者識別情報で識別される対象者の対象者情報を取得する。また、対象者情報取得部２３０は、照合判断部２１０が、要求者識別情報が許可リスト２０４に記録されていると判断した場合に、許可リスト２０４が要求者識別情報に対応づけて記録している応答方法に応じて、対象者の対象者位置情報を取得する。なお、対象者情報取得部２３０は、対象者情報が対象者位置情報である場合には、照合判断部２１０が、要求者識別情報が許可リスト２０４に記録されていると判断した場合に、対象者の対象者位置情報を取得する。
【００６１】
例えば、対象者情報取得部２３０は、対象者位置情報を、外部の測位システム３０に取得させる。そして、対象者情報取得部２３０は、外部の測位システム３０が取得した対象者位置情報を、当該測位システム３０から取得する。対象者情報取得部２３０は、取得した対象者情報を対象者情報通知部２４０に供給する。また、対象者情報取得部２３０は、対象者位置情報を取得した場合には、取得した対象者位置情報を地図情報取得部２３２に供給する。
【００６２】
地図情報取得部２３２は、対象者情報取得部２３０が取得した対象者位置情報が示す位置を含む、予め定められた範囲の地図を示す地図情報を取得する。地図情報取得部２３２は、外部の地図データベースから地図情報を取得してもよい。地図情報取得部２３２は、取得した地図情報を地図生成部２３４に供給する。地図生成部２３４は、地図情報取得部２３２が取得した地図情報が示す地図に、対象者位置情報が示す位置を含めた合成地図情報を生成する。地図生成部２３４は、対象者位置情報を生成した合成地図情報に含めてよい。地図生成部２３４は、生成した合成地図情報を対象者情報通知部２４０に供給する。
【００６３】
なお、ユーザ情報提供装置２０は、地図生成部２３４が合成地図情報を生成した時点で、課金ログを生成する課金ログ生成部を更に備えていてもよい。また、ユーザ情報提供装置２０は、課金ログ生成部が生成した課金ログを格納する課金ログ格納部を更に備えていてもよい。課金ログ格納部は、格納した課金ログを、予め定められた周期で外部の顧客情報統合管理システムに送信することにより、顧客情報統合管理システムに課金処理を実行させる。また、課金ログ生成部は、生成した課金ログを要求者端末１２に通知して、位置検索に要する料金、または料金概算を通知してもよい。
【００６４】
取得不可通知部２２８は、照合判断部２１０が、要求情報受信部２２６が受信した対象者識別情報に対応づけて、当該対象者識別情報を送信した要求者端末１２の要求者識別情報が許可リスト２０４に記録されていないと判断した場合に、判断した時点から予め定められた時間経過後、要求者端末１２に対象者の対象者位置情報の取得ができないことを通知する。また、取得不可通知部２２８は、対象者情報取得部２３０が対象者の対象者位置情報の取得ができない場合に、要求者端末１２に対象者の対象者位置情報の取得ができないことを示す取得不可情報を通知する。そして、要求情報受信部２２６が受信した対象者識別情報に対応づけて、当該対象者識別情報を送信した要求者端末１２の要求者識別情報が許可リスト２０４に記録されていないと判断した場合に、対象者の対象者位置情報の取得ができないことを、取得不可情報と同一の態様で通知する。
【００６５】
これにより、対象者位置情報の取得が対象者に拒否された場合であっても、要求者１に対しては対象者位置情報の取得ができないと通知されるだけであり、要求者１は対象者に拒否されたという事実を認識することがなく、要求者１が不愉快になることがない。
【００６６】
対象者情報通知部２４０は、対象者情報取得部２３０が取得した対象者情報を要求者端末１２に送信する。また、対象者情報通知部２４０は、地図生成部２３４が生成した合成地図情報を要求者端末１２に送信する。具体的に、対象者情報通知部２４０は、要求者端末１２から対象者情報の取得要求である検索結果要求を受信した場合に、合成地図情報を要求者端末１２に送信する。なお、対象者情報通知部２４０は、合成地図情報以外の対象者情報についても、要求者端末１２から検索結果要求を受信した場合に、当該対象者情報を要求者端末１２に送信する。
【００６７】
ロックリスト２８２は、要求者識別情報に対応づけて、対象者識別情報を記録する。ロックリスト２８２は、アクセス制限部２８０の制御に応じて、対象者識別情報をアクセス制限部２８０に参照させる。アクセス制限部２８０は、対象者リスト変更部２０２を制御して、ロックリスト２８２が記録している要求者識別情報で識別される要求者による対象者リスト２００への対象者識別情報の記録、およびロックリスト２８２が記録している要求者識別情報で識別される要求者による許可リスト２０４への要求者識別情報の記録を可能とする。更に、アクセス制限部２８０は、許可リスト変更部２０６を制御して、ロックリスト２８２が記録している対象者識別情報で識別される対象者による許可リスト２０４の内容の変更を禁止する。
【００６８】
本実施形態に係るユーザ情報提供装置２０によれば、要求者が対象者リスト２００に対象者を登録するとともに、対象者が要求者を許可リスト２０４に登録した場合にだけ要求者は対象者の対象者情報を取得することができる。従って、要求者と対象者との双方が対象者情報のやり取りについて合意したことが確実である場合にだけ要求者に対象者情報を提供できるので、対象者の個人的な情報である対象者情報を、対象者の知らない間に第三者が取得することを防止できる。
【００６９】
また、本実施形態に係るユーザ情報提供装置２０によれば、対象者リスト２００と許可リスト２０４とをそれぞれ独立に制御することができる。これにより、例えば、要求者１は対象者の許可リスト２０４を参照することを防止できるので、対象者がいずれの者に対象者情報の提供を許可しているのか第三者に知られることを容易に防止できる。また、対象者リスト２００の内容の変更に応じて許可リスト２０４の内容を変更すること、および許可リスト２０４の内容の変更に応じて対象者リスト２００の内容を変更することがなくなるので、対象者リスト２００および許可リスト２０４の増設等の管理が容易となる。
【００７０】
図７は、本実施形態に係る対象者リスト２００のデータ構造の一例を示す。対象者リスト２００は、要求者識別情報に対応づけて対象者識別情報を記録する。要求者識別情報は、例えば、要求者が使用する要求者端末１２の電話番号である。要求者識別情報は、要求者のメールアドレス等、要求者を一意に識別する識別情報であってよい。また、対象者識別情報は、対象者が使用する対象者端末１４の電話番号である。対象者識別情報についても、要求者識別情報と同様に、対象者のメールアドレス等であってもよい。また、対象者識別情報は、電話番号等、対象者を一意に識別できる識別情報に対応づけて、対象者のニックネームを記録してもよい。
【００７１】
例えば、対象者リスト２００は、電話番号６０００に対応づけて、電話番号７１００および電話番号６２００を記録する。そして、対象者リスト２００は、電話番号７１００に対応づけて、電話番号７１００で識別される対象者のニックネーム（例えば、"Ｃちゃん"）を記録する。同様にして、対象者リスト２００は、電話番号６２００に対応づけて、電話番号６２００で識別される対象者のニックネーム（例えば、"お父さん"）を記録する。
【００７２】
また、対象者リスト２００は、電話番号７１００に対応づけて、電話番号６０００および電話番号６２００を記録する。そして、対象者リスト２００は、電話番号６０００に対応づけて、電話番号６０００で識別される対象者のニックネーム（例えば、"お母さん"）を記録する。同様にして、対象者リスト２００は、電話番号６２００に対応づけて、電話番号６２００で識別される対象者のニックネームを記録する。
【００７３】
これにより、要求者端末１２は、対象者リスト２００が記録している対象者識別情報を、対象者リスト２００が記録しているニックネームとして要求者に通知できる。従って、対象者識別情報として電話番号を要求者に通知する場合に比べて、対象者リスト２００に対象者として誰が記録されているのかを、要求者は、一見して容易に把握することができる。
【００７４】
図８は、本実施形態に係る複数の応答方法の一例を示す。登録通知部２２４は、登録通知とともに、要求情報に対する予め定められた複数の応答方法を要求者端末１２に通知する。複数の応答方法としては、例えば、応答方法５００、応答方法５１０、および応答方法５２０がある。応答方法５００（方法ａ）は、登録通知部２２４が、対象者端末１４に対象者位置情報の取得要求が要求者からきていることを通知するとともに、対象者に、対象者位置情報を要求者に提供してよいかどうかの同意／非同意を求める方法である。
【００７５】
また、応答方法５１０（方法ｂ）は、登録通知部２２４が、対象者端末１４に対象者位置情報の取得要求が要求者からきていることを通知するが、対象者に、対象者位置情報を要求者に提供してよいかどうかの同意を求めずに、対象者位置情報を要求者に提供する方法である。更に、応答方法５２０（方法ｃ）は、登録通知部２２４が、対象者端末１４に対象者位置情報の取得要求が要求者からきていることを通知せず、かつ、対象者に、対象者位置情報を要求者に提供してよいかどうかの同意を求めずに、対象者位置情報を要求者に提供する方法である。なお、応答方法は上記に限られず、その他の応答方法、例えば、対象者の設定にかかわらず、強制的に要求者に対象者位置情報を提供する方法等が定められていてもよい。
【００７６】
図９は、本実施形態に係る許可リスト２０４のデータ構造の一例を示す。許可リスト２０４は、対象者識別情報に対応づけて、対象者の対象者情報の取得が許可される要求者の要求者識別情報を記録する。許可リスト２０４は、要求者識別情報のそれぞれに対応づけて、応答方法を更に記録する。例えば、許可リスト２０４は、電話番号７１００に対応づけて、電話番号６０００および電話番号６２００を格納する。そして、許可リスト２０４は、電話番号６０００に対応づけて方法ｃを記録する。また、許可リスト２０４は、電話番号６２００に対応づけて方法ａを記録する。同様にして、許可リスト２０４は、電話番号８０００に対応づけて、電話番号８５００を記録する。そして、許可リスト２０４は、電話番号８５００に対応づけて方法ｂを記録する。
【００７７】
図１０は、本実施形態に係るロックリスト２８２のデータ構造の一例を示す。ロックリスト２８２は、要求者識別情報に対応づけて対象者識別情報を記録する。例えば、ロックリスト２８２は、電話番号６０００に対応づけて、電話番号７１００および電話番号６２００を記録する。電話番号６０００で識別される要求者は、複数の対象者識別情報をロックリスト２８２に記録できる。これにより、電話番号７１００および電話番号６２００で識別される対象者端末１４はそれぞれ、自己の許可リスト２０４の内容の変更をすることが禁止され、許可リスト２０４の内容の変更は、電話番号６０００で識別される要求者端末１２だけがすることができることとなる。
【００７８】
図１１は、本実施形態に係るユーザ情報提供装置２０における処理の流れの一例を示す。まず、要求者端末１２は、対象者のリストの送信を要求する。対象者リスト要求受信部２６０は、当該要求を受信する。そして、対象者リスト要求受信部２６０は、当該要求を対象者リスト送信部２６２に供給する。対象者リスト送信部２６２は、当該要求を受け取った場合に、当該要求を送信した要求者端末１２を使用する要求者１の対象者リスト２００に記録されている対象者識別情報を、要求者端末１２に送信する（Ｓ１０００）。要求者端末１２は、対象者リスト送信部２６２が送信した対象者識別情報を、例えば、要求者端末１２が備える表示部にリスト表示する。
【００７９】
続いて、要求者端末１２は、表示部にリスト表示された対象者識別情報の中から、要求者１が選択した対象者識別情報を、対象者の対象者位置情報の取得要求を示す要求情報とともにユーザ情報提供装置２０に送信する。要求情報受信部２２６は、当該対象者識別情報と当該要求情報とを要求者端末１２から受信する（Ｓ１００５）。要求情報受信部２２６は、受信した対象者識別情報および当該対象者識別情報を送信した要求者の要求者識別情報を照合判断部２１０に供給する。照合判断部２１０は、要求情報受信部２２６から受け取った要求者識別情報が許可リスト２０４に登録されているかどうか判断する（Ｓ１０１０）。照合判断部２１０が、許可リスト２０４に要求者識別情報が登録されていないと判断した場合には（Ｓ１０１０：Ｎｏ）、取得不可通知部２２８は、要求者端末１２に対象者位置情報の取得ができないことを通知する（Ｓ１０６０）。
【００８０】
一方、照合判断部２１０が、許可リスト２０４に要求者識別情報が登録されていると判断した場合には（Ｓ１０１０：Ｙｅｓ）、照合判断部２１０は、要求者識別情報に対応づけていずれの応答方法が対応づけられているかを更に判断する（Ｓ１０２０）。照合判断部２１０が、要求者識別情報に方法ａが対応づけられていると判断した場合には（Ｓ１０２０：ａ）、登録通知部２２４は、対象者端末１４に対象者端末１４が存在している位置を示す対象者位置情報の取得が、要求者１によって要求されていることを示す測位要求を、測位システム３０を介して対象者端末１４に通知する（Ｓ１０３０）。
【００８１】
対象者端末１４は、測位システム３０を介して当該通知を受け取った場合、対象者端末１４を使用している対象者に、測位要求に同意するか同意しないのかを選択させる（Ｓ１０５０）。対象者が測位要求に同意しなかった場合（Ｓ１０５０：Ｎｏ）、取得不可通知部２２８は、測位要求に同意しなかったことを示す情報を測位システム３０から受け取って、要求者端末１２に対象者位置情報の取得ができないことを通知する（Ｓ１０６０）。一方、対象者が測位要求に同意した場合（Ｓ１０５０：Ｙｅｓ）、対象者情報取得部２３０は、対象者の位置情報、すなわち、対象者端末１４が存在している位置を示す位置情報を、測位システム３０に取得させる（Ｓ１０７０）。
【００８２】
また、照合判断部２１０が、要求者識別情報に方法ｂが対応づけられていると判断した場合（Ｓ１０２０：ｂ）、登録通知部２２４は、測位システム３０を介して、測位要求を対象者端末１４に通知する（Ｓ１０４０）。そして、対象者情報取得部２３０は、対象者端末１４が存在している位置を示す位置情報を、測位システム３０に取得させる（Ｓ１０７０）。また、照合判断部２１０が、要求者識別情報に方法ｃが対応づけられていると判断した場合（Ｓ１０２０：ｃ）、対象者情報取得部２３０は、対象者端末１４が存在している位置を示す位置情報を、測位システム３０に取得させる（Ｓ１０７０）。続いて、地図情報取得部２３２は、対象者情報取得部２３０が測位システム３０に取得させた位置情報が示す位置を含む、予め定められた範囲の地図を示す地図情報を取得する（Ｓ１０７５）。
【００８３】
次に、地図生成部２３４は、地図情報取得部２３２が取得した地図情報が示す地図に、位置情報が示す対象者端末１４が存在している位置を含めた合成地図情報を生成する（Ｓ１０８０）。そして、対象者情報通知部２４０は、要求者端末１２から対象者位置情報の取得要求を受信した場合に、地図生成部２３４が生成した合成地図情報を要求者端末１２に送信する（Ｓ１０８５）。これにより、要求者端末１２において要求者１は、対象者端末１４が存在する位置を、地図上に表示された状態で参照することができる。例えば、地図上の対象者端末１４が存在する位置に、予め定められたマークが重畳表示される。
【００８４】
図１２は、本実施形態に係る要求者端末１２における表示画面の一例を示す。ユーザ情報提供装置２０は、要求者１が取得を要求する対象者（例えば、Ｂさん）の対象者識別情報を対象者リスト２００に登録する。なお、ユーザ情報提供装置２０は、要求者端末１２から送信された要求に応じて、対象者情報を対象者リスト２００に登録してもよい。要求者端末１２は、通知許否送信部の問い合わせに応じて、まず、「Ｂさんを登録しました。このサービスは、相手がＧＰＳ機をお持ちの場合に利用できます。ＢさんはＧＰＳ機をお持ちですか？」と表示する。要求者１が「はい」を選択した場合（Ｓ１２００）、要求者端末１２は、通知許否送信部の問い合わせに応じて、例えば、「Ｂさんに、測位を許可してもらうための登録通知を送りますか？登録通知は、送信元にあなたの電話番号を使って送られます。」と表示する。一方、要求者１が「いいえ」または「知らない」を選択した場合（Ｓ１２０５）、要求者端末１２は、例えば、「このサービスでは、相手がＧＰＳ機をお持ちの場合に位置確認できます。ＧＰＳ機でない場合、位置確認できませんのでご了承ください。」と表示する。
【００８５】
要求者１が「はい」を選択した場合（Ｓ１２１０）、要求者端末１２は、「Ｂさんの登録を完了しました。Ｂさんに登録通知が送られました。」と表示するとともに、認容情報をユーザ情報提供装置２０に送信する。通知許否受信部は、認容情報を受信して、登録通知部２２４に認容情報を受信したことを示す情報を供給する。そして、登録通知部２２４は、送信元に要求者識別情報（例えば、要求者端末１２の電話番号）を記載した登録通知であるメールを、測位システム３０を介して対象者端末１４に送信する。
【００８６】
また、要求者１が「いいえ」を選択した場合（Ｓ１２１５）、要求者端末１２は「Ｂさんの登録を完了しました。なお、本サービスでは、相手が測位の許可設定を行なった場合に測位結果をご覧になれます。相手方に設定を確認していただくようご連絡されることをお勧めします。」と表示する。これにより、対象者リスト２００に対象者識別情報は登録されるものの、測位システム３０を介して対象者端末１４に登録通知は送信されない。すなわち、登録通知に要求者の電話番号が記載されない場合には、測位システム３０を介して対象者端末１４に登録通知が送信されない。従って、対象者は、登録要求をしている者が身元を明かさない場合には登録通知を受けないので、見ず知らずの第三者からの登録要求に煩わされることがなくなる。
【００８７】
図１３は、本実施形態に係るユーザ情報提供装置２０における処理の流れの一例を示す。まず、要求者端末１２は、対象者識別情報のリストを対象者に通知すべく、対象者識別情報の取得要求をユーザ情報提供装置２０に送信する（Ｓ１００）。対象者リスト送信部２６２は、対象者リスト要求受信部２６０が当該取得要求を受信したことに応じて、対象者リスト２００が記録している対象者識別情報を要求者端末１２に送信する（Ｓ１０５）。要求者端末１２は、受信した対象者識別情報をリスト表示して、要求者１に対象者識別情報を選択させる。そして、要求者端末１２は、要求者１が選択した対象者識別情報と、対象者位置情報の取得要求とをユーザ情報提供装置２０に送信する（Ｓ１１０）。
【００８８】
要求情報受信部２２６は、受信した対象者識別情報および当該対象者識別情報を送信した要求者の要求者識別情報を照合判断部２１０に供給する。照合判断部２１０は、要求情報受信部２２６から受け取った要求者識別情報が許可リスト２０４に登録されているかどうか判断する（Ｓ１１５）。照合判断部２１０が、許可リスト２０４に要求者識別情報が登録されていないと判断した場合、取得不可通知部２２８は、要求者端末１２に対象者位置情報の取得ができないことを通知する。一方、照合判断部２１０が、許可リスト２０４に要求者識別情報が登録されていると判断した場合、照合判断部２１０は、対象者情報取得部２３０に対象者位置情報を取得させる。
【００８９】
すなわち、対象者情報取得部２３０は、まず、要求者端末１２に、対象者位置情報の取得ができることを示す受付完了応答を送信する（Ｓ１２０）。要求者端末１２は、受付完了応答を受信した旨を要求者１に通知する（Ｓ１２２）。要求者１は、当該通知に応じて検索結果をユーザ情報提供装置２０に要求することにより、対象者位置情報を取得できる。ここで、ユーザ情報提供装置２０が、以下に述べる測位システム３０から対象者の位置情報を取得する前に、要求者端末１２から検索結果の要求を受信した場合には（Ｓ１２４）、要求者端末１２に対して、所定時間経過後に再度、検索結果の要求をすることを促す旨を示すリトライ応答を送信する（Ｓ１２６）。リトライ応答を受信した要求者端末１２は、所定時間経過後に再度、検索結果を要求すべきことを要求者１に通知する（Ｓ１２８）。
【００９０】
そして、対象者情報取得部２３０は、測位システム３０に対象者端末１４の位置を取得することを要求する検索要求を送信する（Ｓ１２５）。測位システム３０は、検索要求に応じて対象者端末１４が存在する位置を示す位置情報を取得する（Ｓ１３０、Ｓ１３５）。続いて、測位システム３０は、取得した位置情報をユーザ情報提供装置２０に送信する（Ｓ１４０）。対象者情報取得部２３０は、当該位置情報を受信する。そして、対象者情報取得部２３０は、受信した位置情報を地図情報取得部２３２に供給する。地図情報取得部２３２は、受け取った位置情報が示す位置を含む予め定められた範囲の地図を示す地図情報の要求を示す地図要求を、外部の地図データベース４０に送信する（Ｓ１４５）。
【００９１】
地図情報取得部２３２は、地図要求に応じて地図データベース４０が送信した地図情報を取得する（Ｓ１５０）。地図情報取得部２３２は、取得した地図情報を地図生成部２３４に供給する。地図生成部２３４は、地図情報取得部２３２が取得した地図情報が示す地図に、対象者情報取得部２３０が取得した位置情報が示す位置を重畳させた、合成地図を生成する（Ｓ１５５）。ここで、要求者端末１２から検索結果の要求を受信した場合（Ｓ１６０）、対象者情報通知部２４０は、地図生成部２３４が生成した合成地図を示す合成地図情報を、要求者端末１２に送信する（Ｓ１６５）。要求者端末１２は、受信した合成地図情報が示す合成地図を要求者１に通知する（Ｓ１７０）。
【００９２】
図１４は、本実施形態に係る要求者端末１２または対象者端末１４における表示画面の一例を示す。まず、要求者端末１２の表示画面において、測位サービスの画面が表示される。測位サービスの画面には、例えば、「要求者メニュー」、「対象者メニュー」、および「ご案内」等の所定のメニューが表示される。要求者端末１２が要求者メニューを選択した場合（Ｓ１４００）、要求者端末１２は、要求者メニューを表示する。例えば、要求者１が測位を要求する相手である対象者を選択させるべく、上記図１３の説明におけるステップＳ１０５の説明で記載した様に、対象者の選択ができる対象者メニュー２０００を表示する。また、要求者端末１２は、要求者１が所望するサービスを選択する測位要求メニュー２００５を表示する。要求者１は、上記図１３の説明におけるステップ１１０の説明で記載した様に、対象者メニュー２０００において、対象者リスト２００に記録されている対象者識別情報のうち、所望の対象者識別情報を選択できる。
【００９３】
なお、測位要求メニューは、例えば、対象者を選択して、対象者の位置情報を検索できる「位置確認」メニュー、位置確認を所望する定期的なスケジュールを予め登録して、登録した時間において自動的に位置確認できる「スケジュール測位」メニュー、およびユーザ情報提供装置２０が提供するサービスを通信機能を有する端末、例えば、ＰＣから利用することができる「ＰＣからのサービス利用」メニュー等であってよい。また、検索履歴メニュー２０１０においては、要求者１は、過去の検索履歴を参照することができる。その他、各種設定メニューにおいては、対象者リスト２００の設定およびスケジュール設定等ができる。また、対象者メニューを選択した場合（Ｓ１４０５）、要求者端末１２は、対象者メニューを表示する。例えば、被検索履歴を表示する被検索履歴メニュー２０１５、許可リストの設定ができる各種設定メニュー等を表示する。
【００９４】
図１５は、本実施形態に係る要求者端末１２または対象者端末１４における表示画面の一例を示す。具体的には、図１３の上記説明におけるステップＳ１２０の受付完了応答を要求者端末１２が受信した場合における、ステップＳ１２２の通知の表示例を示す。例えば、要求者端末１２は、図１３の上記説明におけるステップＳ１２２の通知を、「検索要求を通知しました。１〜２分経過後、更新ボタンを押すか、検索履歴より検索結果を確認して下さい。」と表示することにより通知する。要求者１が更新ボタン２０２０をクリックした場合、要求者端末１２は、検索結果要求をユーザ情報提供装置２０に送信する。
【００９５】
図１６は、本実施形態に係る要求者端末１２または対象者端末１４における表示画面の一例を示す。具体的には、図１３の上記説明におけるステップＳ１２６のリトライ応答を要求者端末１２が受信した場合における、ステップＳ１２８の通知の表示例を示す。例えば、要求者端末１２は、図１３の上記説明におけるステップＳ１２８の通知を、「ただいま検索中です。もうしばらくお待ちください。」と表示することにより通知する。要求者１が更新ボタン２０２０をクリックした場合、要求者端末１２は、検索結果要求をユーザ情報提供装置２０に送信する。
【００９６】
図１７は、本実施形態に係る要求者端末１２または対象者端末１４における表示画面の一例を示す。具体的には、図１３の上記説明におけるステップＳ１７０の合成地図表示の一例を示す。要求者１が対象者であるＢさんが使用している対象者端末１４の位置を地図上で確認したい場合、要求者端末１２の表示画面に表示される住所をクリックする（Ｓ１７００）。要求者端末１２は、ユーザ情報提供装置２０から受信した合成地図情報が示す合成地図を、表示画面に表示する。これにより、要求者１は、Ｂさんが存在している位置を、地図上で確認できる。また、要求者１が対象者であるＢさんが使用している対象者端末１４の位置の詳細を確認したい場合（Ｓ１７０５）、要求者端末１２は、Ｂさんが存在している位置の緯度・経度を表示する。また、要求者端末１２は、要求者１が位置情報を検索した日時、分、および測地系を表示する。要求者端末１２は、位置情報の精度を示すマークを更に表示してもよい。
【００９７】
図１８は、本実施形態に係る要求者端末１２または対象者端末１４における表示画面の一例を示す。具体的には、取得不可通知部２２８が要求者端末１２に、対象者（例えば、Ｂさん）の対象者位置情報の取得ができないことを通知した場合における、要求者端末１２の表示画面を示す。取得不可通知部２２８は、要求者端末１２に、例えば、「Ｂさんの位置は確認できませんでした。」と表示させる。なお、取得不可通知部２２８は、要求者端末１２に、エラーコード、および要求者１が位置検索を要求した日時を更に表示させてもよい。また、取得不可通知部２２８は、要求者の要求者識別情報が許可リスト２０４に記録されていない場合においても、要求者端末１２に、「Ｂさんの位置は確認できませんでした。」と、位置情報の取得ができない場合と同一の情報を表示させる。
【００９８】
図１９は、本実施形態に係る要求者端末１２または対象者端末１４における表示画面の一例を示す。具体的には、要求者１が予め設定した日時に、要求者１が指定した対象者の位置情報を自動的に確認することができるスケジュール測位機能の設定画面の一例を示す。要求者端末１２においてスケジュールを設定すると、要求者端末１２は設定されたスケジュールに従って、自動的に対象者位置情報の取得要求を示す要求情報をユーザ情報提供装置２０に送信する。そして、要求情報受信部２２６は、要求者端末１２が自動的に送信した要求情報を受信して、ユーザ情報提供装置２０は対象者の位置情報を取得する。
【００９９】
例えば、要求者１は、メニュー２１００において、位置情報の検索を所望する対象者を選択する。そして、要求者１は、メニュー２１０５において、位置情報の検索を所望する時刻を指定する。要求者１は、メニュー２１１０において、位置情報の検索を所望する時間を指定することもできる。また、要求者１は、メニュー２１１５において、測位を実行する曜日を指定できる。そして、要求者１は、メニュー２１２０において、スケジュールに名称を設定できる。また、要求者１は、メニュー２１２５において、登録したスケジュール測位を実施する前に、ユーザ情報提供装置２０から要求者にＳＭＳで測位予告をするか否かを設定できる。更に、要求者１は、メニュー２１３５において、登録したスケジュール測位の起動または停止を設定できる。
【０１００】
図２０は、本実施形態に係るユーザ情報提供装置２０のハードウェア構成の一例を示す。本実施形態に係るユーザ情報提供装置２０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【０１０１】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【０１０２】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、ユーザ情報提供装置２０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【０１０３】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、ユーザ情報提供装置２０が起動時に実行するブート・プログラム、ユーザ情報提供装置２０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【０１０４】
ＲＡＭ１５２０を介してハードディスクドライブ１５４０に提供されるユーザ情報提供プログラムは、フレキシブルディスク１５９０、ＣＤ−ＲＯＭ１５９５、またはＩＣカード等の記録媒体に格納されて利用者によって提供される。ユーザ情報提供プログラムは、記録媒体から読み出され、ＲＡＭ１５２０を介してユーザ情報提供装置２０内のハードディスクドライブ１５４０にインストールされ、ＣＰＵ１５０５において実行される。ユーザ情報提供装置２０にインストールされて実行されるユーザ情報提供プログラムは、ＣＰＵ１５０５等に働きかけて、ユーザ情報提供装置２０を、図１から図１９にかけて説明した対象者リスト２００、対象者リスト変更部２０２、許可リスト２０４、許可リスト変更部２０６、照合判断部２１０、登録要求受信部２２０、通知許否送受信部２２２、登録通知部２２４、要求情報受信部２２６、取得不可通知部２２８、対象者情報取得部２３０、地図情報取得部２３２、地図生成部２３４、対象者情報通知部２４０、許可情報受信部２５０、対象者リスト要求受信部２６０、対象者リスト送信部２６２、データ送受信部２７０、アクセス制限部２８０、ロックリスト２８２、および申込者リスト２９０として機能させる。
【０１０５】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【０１０６】
【図１】対象者情報の提供を受けるフローの概要を示す図である。
【図２】対象者情報の提供を受けるフローの概要を示す図である。
【図３】対象者情報の提供を受けるフローの概要を示す図である。
【図４】対象者情報の提供を受けるフローの概要を示す図である。
【図５】対象者情報の提供を受けるフローの概要を示す図である。
【図６】ユーザ情報提供装置２０の機能構成を示すブロック図である。
【図７】対象者リスト２００のデータ構造を示す図である。
【図８】複数の応答方法の内容を示す図である。
【図９】許可リスト２０４のデータ構造を示す図である。
【図１０】ロックリスト２８２のデータ構造を示す図である。
【図１１】ユーザ情報提供装置２０での処理の流れを示すフローチャートである。
【図１２】要求者端末１２の表示画面を示す図である。
【図１３】ユーザ情報提供装置２０での処理の流れを示すシーケンス図である。
【図１４】要求者端末１２または対象者端末１４の表示画面を示す図である。
【図１５】要求者端末１２または対象者端末１４の表示画面を示す図である。
【図１６】要求者端末１２または対象者端末１４の表示画面を示す図である。
【図１７】要求者端末１２または対象者端末１４の表示画面を示す図である。
【図１８】要求者端末１２または対象者端末１４の表示画面を示す図である。
【図１９】要求者端末１２または対象者端末１４の表示画面を示す図である。
【図２０】ユーザ情報提供装置２０のハードウェア構成を示すブロック図である。
【符号の説明】
【０１０７】
１、２  要求者
１２、１６  要求者端末
１４  対象者端末
２０  ユーザ情報提供装置
３０  測位システム
２００  対象者リスト
２０２  対象者リスト変更部
２０４  許可リスト
２０６  許可リスト変更部
２１０  照合判断部
２２０  登録要求受信部
２２２  通知許否送受信部
２２４  登録通知部
２２６  要求情報受信部
２２８  取得不可通知部
２３０  対象者情報取得部
２３２  地図情報取得部
２３４  地図生成部
２４０  対象者情報通知部
２５０  許可情報受信部
２６０  対象者リスト要求受信部
２６２  対象者リスト送信部
２８０  アクセス制限部
２８２  ロックリスト
２９０  申込者リスト
５００、５１０、５２０  応答方法
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
２０００  対象者メニュー
２００５  測位要求メニュー
２０１０  検索履歴メニュー
２０１５  被検索履歴メニュー
２０２０  更新ボタン
２１００、２１０５、２１１０、２１１５  メニュー
２１２０、２１２５、２１３０、２１３５  メニュー
６０００、６２００、７１００、８０００、８５００  電話番号
【図１】
2008152320.tif 000003
【図２】
2008152320.tif 000004
【図３】
2008152320.tif 000005
【図４】
2008152320.tif 000006
【図５】
2008152320.tif 000007
【図６】
2008152320.tif 000008
【図７】
2008152320.tif 000009
【図８】
2008152320.tif 000010
【図９】
2008152320.tif 000011
【図１０】
2008152320.tif 000012
【図１１】
2008152320.tif 000013
【図１２】
2008152320.tif 000014
【図１３】
2008152320.tif 000015
【図１４】
2008152320.tif 000016
【図１５】
2008152320.tif 000017
【図１６】
2008152320.tif 000018
【図１７】
2008152320.tif 000019
【図１８】
2008152320.tif 000020
【図１９】
2008152320.tif 000021
【図２０】
2008152320.tif 000022